(57)【要約】【課題】サイフォン排水システムの排水管の上流側及び下流側の水頭の大きさによってサイフォンの起動時間や排水処理量等が決まるが、水頭が取りにくい一階にあってもこの水頭を確保し、特にチャンバ−を用いたサイフォン排水システムの適用を可能とした。【解決手段】水廻り機器１と、水廻り機器１に備えたトラップ２に接続された排水導管３と、排水導管３に接続されて排水が溜められる貯留槽４と、貯留槽４の底部４ａ或いはその近傍に接続され下流側水頭Ｈｓをもって排水横主管６に導かれるサイフォン排水管５と、を備えた排水システムであって、当該サイフォン排水管５が上下階を隔てる隔壁Ｓをほぼ垂直に貫通して貯留槽４内の水位との間の上流側に必要な水頭、即ち「サイフォン起動水頭Ｈｐ」を確保し、前記隔壁Ｓの裏側に水平に敷設されて排水横主管６に導かれるサイフォン排水システム。【選択図】図３
2008050906.tif 000002
【特許請求の範囲】
【請求項１】
水廻り機器と、当該水廻り機器に接続され、下流側が水頭をもって主排水管に導かれるサイフォン排水管と、を備えた排水システムであって、サイフォン排水管が上下階を隔てる隔壁をほぼ垂直に貫通し、当該隔壁の裏側に水平に敷設されて排水横主管に導かれていることを特徴とするサイフォン排水システム。
【請求項２】
前記サイフォン排水管が隔壁の裏側面に敷設された請求項１記載のサイフォン排水システム。
【請求項３】
前記サイフォン排水管が隔壁の裏側を覆う天板上に敷設された請求項１記載のサイフォン排水システム。
【請求項４】
サイフォン排水管が少なくとも上下階を隔てる隔壁の厚さ分の上流側水頭を確保した請求項１乃至３いずれか１記載のサイフォン排水システム。
【請求項５】
水廻り機器からの排水が貯留槽に溜められ、前記サイフォン排水管が当該貯留部に接続された請求項１乃至４いずれか１記載のサイフォン排水システム。
【請求項６】
水廻り機器と、水廻り機器に備えたトラップに接続された排水導管と、排水導管に接続されて排水が溜められる貯留槽と、貯留槽の底部或いはその近傍に接続され下流側水頭をもって排水横主管に導かれるサイフォン排水管と、を備えた排水システムであって、当該サイフォン排水管が上下階を隔てる隔壁をほぼ垂直に貫通して貯留槽内の水位との間の上流側水頭を確保し、前記隔壁の裏側に水平に敷設されて排水横主管に導かれていることを特徴とするサイフォン排水システム。
【発明の詳細な説明】
【技術分野】
【０００１】
本発明はサイフォン排水システムの改良に関するものであり、主に一階部分やその他最下階にも対応されるサイフォン排水システムを提供するものである。
【背景技術】
【０００２】
集合住宅や戸建て住宅においての排水システムは、水廻り機器からの排水は排水管に所定の勾配が付けられており、いわゆる勾配排水システムと言われている。このため、住戸のフロア面がその分高くなり、逆に言えば、排水立て管から遠い位置に水廻り機器を配置することが難しかった。
【０００３】
図１は従来の勾配排水システムの一階（最下階）の例を示すが、この場合には、水廻り機器１１ａ、１１ｂ、１１ｃの排水を考えると、これら水廻り機器１１ａ、１１ｂ、１１ｃのトラップ１２ａ、１２ｂ、１２ｃに勾配を付けたを排水管１５ａ、１５ｂ、１５ｃを接続し、夫々スラブＳに貫通穴１７ａ、１７ｂ、１７ｃを開け、これを通して夫々の排水管１５ａ、１５ｂ、１５ｃを垂下させる。そして、スラブＳの裏側に所定の勾配をもって備えられた排水横主管１６ａに夫々別々に接続されている。
【０００４】
このように、従来の勾配排水システムでは、一階（最下階）は縦管圧力の関係で、各機器毎の配管を地下ピットに垂下させて一般階と別系統で処理するのが、近年では一般的になってきた。その場合、各機器毎にスラブを貫通させる穴を開ける必要があり、地下ピット内で勾配を天井からの吊りボルトで施工することとなって、作業が大変難しかった。即ち、配管の難しさや接続部位も多いことから漏水の危険性も多く好ましくないことが分かる。勿論、貫通穴は水廻り機器の数だけ開ける必要があり、この作業も極めて面倒な作業となる。
【０００５】
近年、サイフォン排水システムが提案されている。かかるサイフォン排水システムは、サイフォン排水管は当該機器のある階のスラブ面に添わせて横引き施工するものであり、合流させる排水立て管付近で落とし込み水頭（Ｈｓ）をもって垂下させるものであった。又、貯留槽（以下、問題のない限りチャンバ−という）を備えたサイフォン排水システムにあっても同様であって、チャンバ−からほぼ横向きにサイフォン排水管を接続させ、そのままスラブ面に添わせて横引き部としていた（特許文献１、２）。
【０００６】
【特許文献１】特開２０００−２９７４４７号公報
【０００７】
【特許文献２】特開２００３−２０１７２７号公報
【０００８】
主として集合住宅に採用されるサイフォン排水システムの概要を図２によって述べれば、ＰＳ内に設置された排水立て管１０と水廻り器具１ａに接続されたサイフォン排水管８ａとからなり、水廻り機器１ａとサイフォン排水管８ａとの間の水頭Ｈｐと、サイフォン排水管８ａが水頭Ｈｓをもって排水立て管１０に接続された排水システムであり、水頭Ｈｐによってサイフォン排水管８ａ内の水が押されて満流となって流れ、これが水頭Ｈｓをもって流れ落ちることから来る吸引力がサイフォン排水管８ａ内の水に伝わり、この吸引力によってサイフォン排水管８ａ内の水が流れ落ちるシステムである。１０ａは排水立て管１０に備えられた合流継手である。
【０００９】
そのため、チャンバ−を用いたサイフォン排水システムについて言えば、一階では落とし込みの水頭Ｈｓが十分に確保できないので、サイフォン排水システムでは処理が困難な場合があった。
【００１０】
一方、チャンバ−を用いたサイフォン排水システムは、一度水廻り機器からの水がチャンバ−内に解放されるため、サイフォン排水間８ａ内の水に水廻り機器の排水口高さ分の水頭Ｈｐが掛からず、チャンバ−内での水位だけが水頭Ｈｐとして掛かることとなる。このため、サイフォンの起動が遅く、チャンバ−を縦方向に大きく取る必要があった。
【００１１】
サイフォン排水管８ａの上流側にかかるこの水頭Ｈｐは、管内の水を後ろから押す働きをなすもので、水頭Ｈｐが大きければサイフォンは早期に発生し、小さければサイフォン発生までに時間がかかる。また、最近の研究ではその大きさがサイフォン排水管の横引き長さＬｈ等の条件で決まる「サイフォン起動水頭Ｈｐ」以上の数値でなければサイフォンは発生しないことが分かっている。そのため、チャンバ−の大きさは単に水を溜めるための容量だけではなく、縦方向にある程度の大きさが必要であり、更には「サイフォン起動水頭Ｈｐ」よりも大きい寸法でなければ、効果がないことは言うまでもない。
【００１２】
更に、チャンバ−方式ではかかる水頭Ｈｐが、チャンバ−を設置しない方式と比べ極端に小さいため、スラブの多少の不陸でも水頭Ｈｐに影響を及ぼし、サイフォン起動に支障を来すことがあった。更に又、落とし込み部分での管同士の縦方向の接触ができなかったため、サイフォン排水管の敷設の際の収まりが悪かった。
【００１３】
このように、一階にサイフォン排水を導入することは水頭Ｈｐの点からいうと、上記のような問題点がある他に、チャンバ−を用いたサイフォン排水システムにおいては、チャンバ−そのものの縦方向の高さを大きく取れない場合が殆どであり、水頭Ｈｐの確保もできにくいため、更に施工が難しかった。
【発明の開示】
【発明が解決しようとする課題】
【００１４】
以上説明した通り、サイフォン排水システムには、従来の勾配排水システムにはない優れた面があるが、サイフォン排水管の下流側の水頭Ｈｓは必須の要件であり、特に集合住宅の一階部分は構造上この水頭が取りにくいという点があり、一階部分の改良が要請されていた。あわせて、一階部分における特にチャンバ−を用いた際のサイフォン排水管の上流側の水頭Ｈｐの確保も検討しなくてはならない事項であった。
【課題を解決するための手段】
【００１５】
本発明の要旨は、水廻り機器と、当該水廻り機器に接続され、下流側が水頭をもって主排水管に導かれるサイフォン排水管と、を備えた排水システムであって、サイフォン排水管が上下階を隔てる隔壁をほぼ垂直に貫通し、当該隔壁の裏側に水平に敷設されて排水横主管に導かれているサイフォン排水システムにかかるものである。
【００１６】
そして、発明の具体的形態としては、水廻り機器と、水廻り機器に備えたトラップに接続された排水導管と、排水導管に接続されて排水が溜められる貯留槽と、貯留槽の底部或いはその近傍に接続され下流側水頭をもって排水横主管に導かれるサイフォン排水管と、を備えた排水システムであって、当該サイフォン排水管が上下階を隔てる隔壁をほぼ垂直に貫通して貯留槽内の水位との間の上流側水頭を確保し、前記隔壁の裏側に水平に敷設されて排水横主管に導かれているサイフォン排水システムにかかるものである。
【発明の効果】
【００１７】
本発明は以上の通りであり、サイフォン排水管の前後に夫々水頭を確保したものであり（請求項１、６）、特にチャンバ−を備えたシステムに最適であり（請求項５、６）、更に特徴的には、一階（最下階）にあってもサイフォン排水が可能となったものである。
【００１８】
サイフォン排水システムにあっては、サイフォン排水管の上流側及び下流側の水頭ＨｐとＨｓとを大きく取ることでサイフォンの起動時間や排水処理量等が決まってくるが、本発明ではチャンバ−方式においても水頭Ｈｐを十分に確保した（請求項２、３、４）ものである。
【発明を実施するための最良の形態】
【００１９】
本発明のサイフォン排水システムは、上下の階を隔てる隔壁を貫通してサイフォン排水管が配置されており、サイフォン排水管は隔壁の裏側に水平に敷設される（請求項２、３）ものである。このため、チャンバ−を用いたシステムであっても少なくとも隔壁の分だけ水頭Ｈｐが確保されたものである。即ち、チャンバ−からのサイフォン排水管の接続を下向きとし、隔壁（集合住宅ではスラブ）を貫通してから、下階の天井（隔壁の裏側）に敷設することで今まで困難であった一階（最下階）に関しても、サイフォン排水で施工できるようにしたものである。
【００２０】
即ち、本発明の排水システムを採用することにより、チャンバ−を用いた排水システムにあっても、上流側の水頭Ｈｐが十分に確保できたため、「サイフォン起動水頭Ｈｐ」を特に考慮する必要がなくなり、チャンバ−の縦方向を小さくすることができ、更には、サイフォン開始が早くなるため、チャンバ−自体の容量を小さくできたものである。即ち、「サイフォン起動水頭Ｈｐ」を気にする必要がなくなったことはチャンバ−の高さを気にする必要なく設計可能となり、サイフォン開始が早くなることによりチャンバ−全体の容量を小さくできるというメリットをもたらしたものである。
【００２１】
このシステムであれば、複数のサイフォン排水管があったとしても同じところから繋がれているので、まとめて一つの穴に落とし込めばよく作業が容易になる。この点、前述したが一般の勾配排水システムでは、各機器毎に地下ピットに垂下させるので、スラブに開ける穴が機器の数だけ存在し、その接続の数もそれだけ増えたが、本発明ではかかる点にあっても数少ない穴と少ない接続箇所にて十分であり、そのメリットは大きい。又、排水管を束ねたりユニット化したりして、排水システム中に組入れることも容易となるメリットもある。
【００２２】
本発明の排水システムによって、集合住宅にあっては一階（最下階）に関してはその下に地下ピットがあるため、区分所有に関係なく、スラブを貫通して落とし込んで配管・排水することが可能となったものであり、戸建て住宅に対しても勿論対応可能であり、更に、区分所有等に関しての制約のない、オフィスビルのような建築物においては、一階のみでなく一般階においても施工可能である。
【００２３】
本発明でいう隔壁の裏側に固定するとは、隔壁の裏側に直接固定すること、各種の吊り具を用いて固定すること、場合によっては隔壁中に埋没した形態で固定すること、隔壁から離れて設置される天板に任意の手段で固定すること、場合によっては単に天板上に這わせること、等が含まれるものである（請求項２、３）。
【００２４】
前述したが、従来の勾配排水システムにおける一階（最下階）の排水は、隔壁（スラブ）に水廻り機器毎に貫通穴を開け、スラブの下側に勾配をつけて吊り下げられた排水管にその都度接続する手段が取られており、スラブ下側の排水管に勾配を付けて吊り下げなくてはならないこと、各水廻り機器毎にスラブに貫通穴を設けなくてはならないこと、各機器毎に排水管と接続しなくてはならないこと等、作業性に問題があり、又、漏水の危険性がそれだけ増すという欠点があったが、本発明はこれらの欠点を解消したものである。
【００２５】
本発明のサイフォン排水システムにあっては、複数の水廻り機器からの排水がチャンバ−に溜められ、これに接続された一本又は複数本のサイフォン排水管をスラブを貫通させればよく、一階に適用する場合には下流側の水頭Ｈｓが小さいためサイフォン排水管を１〜２本多く接続することもあるが、貫通穴は一つでよく（請求項５、６）、必要とされる上流側の水頭Ｈｐも確保でき、全ての階でサイフォン排水システムが採用可能となるというメリットがある。
【実施例】
【００２６】
以下、本発明を具現化した請求項６の発明に基づいて更に詳細に説明する。図３は集合住宅における一階（最下階）部分に適用した例を示す図である。１は水廻り機器、２は水廻り機器１に備えたトラップ、３はトラップ２に接続された排水導管である。４はチャンバ−であり複数の水廻り機器１から１又は複数の排水導管３が接続され、排水がチャンバ−４内に溜められる。Ｓはスラブを示す。
【００２７】
さて、チャンバ−４の底部４ａにはサイフォン排水管５が接続されている。かかるサイフォン排水管５は先端側即ち排水の下流側に水頭Ｈｓをもって合流継手５ｂに接続され、次いで、排水横主管（下水管）６に解放されている。そして、このサイフォン排水管５はチャンバ−４の底部４ａに対応するスラブ（隔壁）Ｓに貫通穴７を形成し、これを貫通して垂下しており、これによってサイフォン排水管５の上流側にスラブＳの厚さ分の水頭がもたらされ、結果的に「サイフォン起動水頭Ｈｐ」が確保される構造となっている。
【００２８】
スラブＳを貫いたサイフォン排水管５はスラブＳの裏側に吊り具８をもって無勾配で水平に敷設されており、排水立て管１０の合流継手１０ｂ（或いは排水横主管６の合流継手６ｂ）の直上まで敷設され、合流継手１０ｂ（６ｂ）に向かって垂直に敷設（水頭Ｈｓ）されたものである。又、チャンバ−４の頂部より通気管９が接続され、そのまま合流継手５ｂに導かれている。勿論、通気管９も貫通穴７を通してもよいことは言うまでもない。この例ではサイフォン排水管５は４本使用した。
【００２９】
このように、本発明にあっては、サイフォン排水管５はスラブＳの裏側に水平に敷設されたものであり、その下流側及び上流側にはいずれも水頭（Ｈｓ、Ｈｐ）が確保されたことにより、チャンバ−４の使用によって水廻り機器からの水頭Ｈｐをサイフォン排水管５と無縁としてしまっても、スラブＳの厚さを貫通して垂下することによって新たな水頭がもたらされ、結果としてチャンバ−４内における水頭が小さくても上流側に「サイフォン起動水頭Ｈｐ」が確保され、従って、チャンバ−４の縦寸法が小さくても十分サイフォン排水が可能となったものである。尚、スラブＳを貫通する穴７は一つで十分であり、この点でも従来の勾配排水システムとは異なる優れた点であるといえる。
【００３０】
尚、スラブＳの裏側のみに沿ってサイフォン排水管５を水平とするだけでなく、場合によっては、スラブＳを覆う図示しない天板を用いることがあるが、この場合には、かかる天板上に単に這わせておくだけでも十分である。
【産業上の利用可能性】
【００３１】
本発明は以上の通りであって、例えば、集合住宅等にあって、全ての階にサイフォン排水システムが適用できることとなったものであり、一階部分での適用にあっては水頭Ｈｓが小さいためサイフォン排水管の本数を増やすことが必要な場合もあるが、この場合でも上流側の水頭を大きく取れることからチャンバ−をより小さくすることが可能となったものであり、これによって全部の階で統一してサイフォン排水システムが採用されることができることとなったもので、そのメリットは極めて大きい。
【図面の簡単な説明】
【００３２】
【図１】図１は従来の勾配排水システムを示す図である。
【図２】図２はサイフォン排水システムの原理を示す図である。
【図３】図３は本発明のサイフォン排水システムを示す図である。
【符号の説明】
【００３３】
１‥水廻り機器、
２‥水廻り機器１に備えたトラップ、
３‥トラップ２に接続された排水導管、
４‥チャンバ−、
４ａ‥チャンバ−４の底部、
５‥サイフォン排水管、
６‥排水横主管、
６ｂ‥合流継手、
７‥スラブＳの貫通穴、
８‥吊り具、
９‥通気管、
１０‥排水立て管、
１０ａ、１０ｂ‥排水立て管合流継手、
Ｈｐ‥サイフォン排水管５の上流側の水頭、
Ｈｓ、Ｈｓ１‥サイフォン排水管５の先端側の水頭、
Ｓ‥スラブ。
【図１】
2008050906.tif 000003
【図２】
2008050906.tif 000004
【図３】
2008050906.tif 000005